(57)【要約】【課題】  無線電話機における呼び出し音が、簡単な構成で任意の音に設定できるようにする。【解決手段】  受信手段で受信した圧縮音声データを着呼時の呼び出し音のデータとして、書き込みが自在な記憶手段に圧縮されたままで記憶させ、着呼時に記憶された呼び出し音のデータを復号化手段に供給して復号化して、呼び出し音を生成させるようにした。【選択図】      図１ 
2005102283.tif 000002
【特許請求の範囲】
【請求項１】
無線電話回線により接続された相手側の局と通話を行う無線電話機において、
無線電話回線で伝送されたデータを受信する受信手段と、
該受信手段で受信されたデータ中の圧縮音声データを復号化する復号化手段と、
該復号化手段で復号化された音声データを出力させる出力手段と、
圧縮音声データを記憶し、その記憶データを上記復号化手段に供給する書き込みが自在な記憶手段と、
予め登録された呼び出し音のデータを記憶した読み出し専用の記憶手段と、
無線電話回線での着呼を制御する制御手段とを備え、
上記制御手段は、上記受信手段で受信した圧縮音声データを着呼時の呼び出し音のデータとして、上記書き込みが自在な記憶手段に圧縮されたままで記憶させ、着呼時に記憶された呼び出し音のデータを上記復号化手段に供給して復号化する
無線電話機。
【請求項２】
上記書き込みが自在な記憶手段として、通話音声の記憶用の記憶手段を兼用するようにした請求項１記載の無線電話機。
【発明の詳細な説明】
【技術分野】
【０００１】
本発明は、携帯電話機などの無線電話機に関し、特に音声信号が圧縮されたデジタルデータとして伝送される無線電話システムに適用される無線電話機に関する。
【背景技術】
【０００２】
従来、携帯用の無線電話機は、基地局などから伝送される信号を受信して着呼したとき（即ちこの電話機が呼び出されたとき）、この電話機が備える告知手段としての呼び出し音生成回路で呼び出し音の信号を生成させ、この呼び出し音の信号をスピーカなどに供給して、呼び出し音として放音させる処理が行われる。そして、この電話機の所有者は、この呼び出し音により着呼が確認できる。
【０００３】
図４に従来の無線電話機の呼び出し音を出力させるための構成の一例を示すと、例えばＤＴＭＦ（Dual Tone Multi Frequency ）と称される複数の周波数を組み合わせた電話の発信音形成回路５１が出力する周波数信号を、ローパスフィルタ５２を介してアッテネータ５３及びアンプ５４に供給し、このアッテネータ５３及びアンプ５４で適正なレベルの周波数信号とする。そして、アンプ５４の出力信号をミュート回路５５に供給し、所定の周期で間欠的に出力される信号とし、この間欠的な周波数信号をスピーカ５６から放音させる。
【０００４】
このように構成することで、この電話機が備える発信音形成回路５１などの回路を使用して、比較的簡単な構成で呼び出し音を出力させることができる。
【発明の開示】
【発明が解決しようとする課題】
【０００５】
ところが、このような回路を使用して出力される呼び出し音は、「ピー・ピー」と鳴るような発信音であり、機種によって多少の音色の違いはあっても、ほぼ同様な音であった。従って、周囲に携帯電話機を所持した者が複数いる場合などには、誰の電話機が呼び出されたのか区別するのが困難であった。
【０００６】
このため、例えば何らかのメロディーなどの比較的複雑な音で形成される呼び出し音の信号を作成させる回路を設けて、この回路からの出力信号を呼び出し音とすることが考えられるが、このように呼び出し音を出力させるための専用の比較的複雑な回路を設けると、それだけ無線電話機の構成が複雑になる不都合がある。特に、携帯用として小型，軽量に構成させる必要のある無線電話機の場合には、このような複雑な呼び出し音を出力させるための専用の回路規模の大きな回路を設けるのは好ましくなかった。
【０００７】
本発明の目的は、無線電話機における呼び出し音が、簡単な構成で任意の音に設定できるようにすることにある。
【課題を解決するための手段】
【０００８】
本発明は、受信手段で受信した圧縮音声データを着呼時の呼び出し音のデータとして、書き込みが自在な記憶手段に圧縮されたままで記憶させ、着呼時に記憶された呼び出し音のデータを復号化手段に供給して復号化するようにしたものである。
【０００９】
かかる構成によると、無線電話機が備える圧縮音声データ記憶用の記憶手段に、任意の呼び出し音を記憶させることで、この任意の呼び出し音が着呼時に呼び出し音として使用されるようになる。
【発明の効果】
【００１０】
本発明によると、無線電話機が備える圧縮音声データ記憶用の記憶手段に、任意の呼び出し音を記憶させることで、この任意の音色，メロディー，音声などを呼び出し音として使用できるようになる。この場合、受信される音声データと同じ形式で圧縮された音声データとして記憶させるようにしたので、この電話機が備える復号化手段を使用して、圧縮音声データを呼び出し音とすることができ、無線電話機が受信した音声データの処理用として備える回路を使用して呼び出し音の出力処理ができ、呼び出し音用の専用の処理回路が必要なく、回路構成を簡単にすることができると共に、呼び出し音をデータとして記憶させる記憶手段の記憶容量についても小容量化が図れ、最小限の容量の記憶手段で対処できる。
【００１１】
この場合、記憶手段として、通話音声の記憶用の記憶手段を兼用するようにしたことで、通話音声を記憶する記憶手段を備えた無線電話機の場合には、この記憶手段の一部のエリアを使用するだけで対処でき、専用の記憶手段を設ける必要がない。
【発明を実施するための最良の形態】
【００１２】
以下、本発明の一実施例を図１〜図３を参照して説明する。
【００１３】
本発明が適用される無線電話機は、携帯用に小型に構成された無線電話機であり、デジタルデータ化された音声データを基地局との間で無線伝送することで、基地局側と接続された局と通話を行う無線電話機とされ、無線伝送される音声データについては、ベクトル和励起線形予測符号化方式（ＶＳＥＬＰ：Vector-SumExcited linear Predictive Coding ）と称される符号化方式によりデータ量が圧縮された圧縮音声データとして伝送するようにしてある。
【００１４】
本例の無線電話機の構成について図１を参照して説明すると、２本のアンテナ１及び２を備え、アンテナ１は受信専用のアンテナであり、アンテナ２は送信と受信の兼用のアンテナである。そして、アンテナ１で受信した信号を、開閉スイッチ３を介してフロントエンド回路５に供給すると共に、アンテナ２で受信した信号を、送受信切換用の切換スイッチ４を介してフロントエンド回路５に供給する。この場合、スイッチ３，４により、良好に受信できる方のアンテナの受信信号をフロントエンド回路５に供給する。
【００１５】
そして、フロントエンド回路５では、所定の送信チャンネルの信号を第１中間周波信号に周波数変換する高周波処理を行う。この場合、周波数シンセサイザ７から供給される周波数信号を使用して周波数変換が行われる。この周波数シンセサイザ７の出力周波数は、この電話機の動作を制御するシステムコントローラである制御部２０により制御される。
【００１６】
そして、フロントエンド回路５が出力する第１中間周波信号を、中間周波回路６に供給して、増幅などの中間周波処理を行うと共に、周波数シンセサイザ７から供給される周波数信号を使用して第２中間周波信号に周波数変換する。そして、この第２中間周波信号をデータ処理回路８に供給して、この無線電話機が適用される伝送方式に従った受信データの復調処理を行うと共に、復調信号に含まれる各種受信データを抽出するデータ処理を行う。そして、処理された受信データ中の音声データを音声データ符号化・復号化回路３０に供給する。また、受信データ中の制御データを、この電話機の各部の動作制御を行う制御部２０に供給する。この制御部２０に供給される制御データとしては、例えば各端末局（無線電話機）への着呼を示すデータがある。
【００１７】
そして、音声データ符号化・復号化回路３０は、ベクトル和励起線形予測符号化方式（以下ＶＳＥＬＰ方式と称する）の符号化処理及び復号化処理が行われる回路で、受信時にはデータ処理回路８から供給される音声データを、ベクトル和励起線形予測符号化方式に従った復号化して、所定の方式のデジタル音声データとする（例えばサンプリング周波数及び１サンプルのビット数が一定のデジタル音声データとする）。この復号化処理の詳細については後述する。
【００１８】
そして、復号化されたデジタル音声データをデータ処理回路８に供給し、このデータ処理回路８に接続されたデジタル／アナログ変換器９に供給してアナログ音声信号とし、このアナログ音声信号をアンプ１０を介してスピーカ１１に供給し、放音させる。
【００１９】
また、音声データ符号化・復号化回路３０には、音声データを記憶するメモリであるＲＡＭ２１が接続され、制御部２０の制御に基づいて受信した音声データや送信するための音声データなどの音声データをＶＳＥＬＰ方式で符号化されたまま記憶できるようにしてある。この場合、ＲＡＭ２１の記憶容量としては、例えば数分間の通話に相当する音声データを記憶できるようにしてある。
【００２０】
次に、送信系の構成について説明すると、マイクロホン１２が拾った音声を音声信号としてアンプ１３を介してアナログ／デジタル変換器１４に供給し、デジタル音声データに変換する。そして、この変換された音声データをデータ処理回路８を介して音声データ符号化・復号化回路３０に供給し、ＶＳＥＬＰ方式で符号化された圧縮音声データとする。そして、この圧縮音声データをデータ処理回路８に供給し、制御部２０から供給される制御データや同期データなどを付加して伝送用のデータ構成とする。
【００２１】
そして、この伝送用のデータ構成とされた送信データを変調回路１５に供給して、送信用に変調されると共に所定の送信チャンネルに周波数変換された送信信号とする。この場合、周波数シンセサイザ７から供給される周波数信号を使用して送信チャンネルへの周波数変換処理を行う。そして、変調回路１５が出力する送信信号を、出力アンプ１６を介して切換スイッチ４に供給し、切換スイッチ４に接続されたアンテナ２から無線送信させる。なお、出力アンプ１６で増幅する際の利得は、制御部２０からの指令に基づいた出力制御回路１７の制御で設定される。
【００２２】
そして、この電話機のシステムコントローラである制御部２０には、ＲＡＭ２１及びＲＯＭ２２のメモリが接続してあり、ＲＯＭ２２には、この電話機の制御に必要な制御プログラムが記憶させてある。またＲＡＭ２１には、電話番号などのユーザーが自由に登録できるデータが記憶できるエリアと、上述した音声データを記憶できるエリアなどが用意されている。この場合、本例においてはＲＡＭ２１の音声データを記憶できるエリアの一部を使用して、呼び出し音のデータを記憶できるようにしてある。この呼び出し音のデータについても、通話用の音声データと同様に、ＶＳＥＬＰ方式で符号化された圧縮音声データとして記憶させる。なお、呼び出し音は、比較的短い時間（１秒〜数秒程度）の音を周期的に繰り返し出力させて形成されるものであり、ＲＡＭ２１には、この１周期分の音声データだけを呼び出し音のデータとして記憶させる。
【００２３】
そして、ＲＡＭ２１に呼び出し音のデータの登録がある場合に、受信した制御データに基づいて制御部２０が自局への着呼を判別したときには、ＲＡＭ２１又はＲＯＭ２２に記憶された１周期分の呼び出し音のデータを、周期的に繰り返し読出して音声データ符号化・復号化回路３０に供給する。そして、音声データ符号化・復号化回路３０では、この呼び出し音のデータをＶＳＥＬＰ方式から復号化し、復号化された音声データをデータ処理回路８を介してデジタル／アナログ変換器９に供給してアナログ音声信号とし、この呼び出し音のアナログ音声信号をアンプ１０を介してスピーカ１１に供給し、呼び出し音として繰り返し出力させる。そして、制御部２０が、キー操作などで着呼に対する応答が行われたと判断するまで（又は着呼による呼び出しがなくなるまで）、この呼び出し音の出力処理を継続して行う。
【００２４】
なお、本例の電話機の場合には、このようなＲＡＭ２１の記憶データを使用した呼び出し音の出力処理の他に、通常の呼び出し音の出力処理、即ち例えば所定の周波数の信号を断続的にスピーカに供給して、呼び出し音として出力させる構成（従来例として示した図４参照）を備え、ＲＡＭ２１に呼び出し音のデータの登録がない場合には、この通常の呼び出し音の出力処理を行うようにしてある。
【００２５】
また、この電話機は、ダイヤル番号キーなどのキー２３と、液晶表示パネルとその駆動回路よりなる表示部２４とを備え、キー２３の操作情報が制御部２０に供給されると共に、制御部２０の制御で電話機の作動状態などが表示部２４に表示される。
【００２６】
次に、本例の音声データ符号化・復号化回路３０内で、ＶＳＥＬＰ方式により復号化処理が行われる構成を、図２を参照して説明する。このＶＳＥＬＰ方式は、コードブックを用いて励起（残差）信号をベクトル量子化する符号励起線形予測符号化方式（ＣＥＬＰ：Code Excited Linear Predictive Coding ）を改良した符号化方式であり、予め定義されたデータ構造のコードブックを使用して符号化・復号化するものである。まず、この方式で符号化された音声データである受信圧縮音声データは、短期フィルタ係数αi，量子化長期予測係数βq，量子化利得γq，量子予測ラグＬ，符号語Ｉ（この符号語はＶＳＥＬＰ方式で決められたコードブックから選択した語）で構成される。そして、コードブック３１に符号語Ｉのデータが供給されることで、この符号語が選択されて、符号語のデータが出力される。この出力データを乗算器３２に供給して、量子化利得γqを乗算し、対応した利得のデータとし、加算器３３に供給する。
【００２７】
そして、加算器３３の出力を長期フィルタ状態データとして長期フィルタ状態回路３４に戻し、この長期フィルタ状態回路３４で量子予測ラグＬに対する長期フィルタ状態の出力ｂL（ｎ）を得、乗算器３５でこの出力ｂL（ｎ）に量子化長期予測係数βqを乗算し、この乗算されたデータを加算器３３に供給して、符号語のデータと結合された励起信号ｅX（ｎ）を得る。
【００２８】
そして、この励起信号ｅX（ｎ）をピッチプリフィルタ３６を介して合成フィルタ３７に供給し、短期フィルタ係数αiに基づいたフィルタリングを行い、この合成フィルタ３７の出力をスペクトルフィルタ３８により処理して、所定のサンプリング周波数の音声データの出力を得る。
【００２９】
そして、本例の無線電話機の場合には、このようにして復号化された音声データを、データ処理回路８を経由してデジタル／アナログ変換器９に供給し、アナログ音声信号を得て、スピーカ１１から復号された音声を出力させる構成となっていて、上述した呼び出し音を出力させる場合についても、ＲＡＭ２１より読出したデータを音声データ符号化・復号化回路３０で復号化処理して、スピーカ１１から出力させる。
【００３０】
次に、ＲＡＭ２１への呼び出し音のデータの記憶処理について説明する。この呼び出し音のデータを記憶させる場合には、キー２３の操作などに基づいて、制御部２０がこの電話機の動作モードを呼び出し音記憶モードとした状態で、マイクロホン１２から入力した音声信号をＲＡＭ２１に記憶させる。即ち、呼び出し音記憶モードを設定させた状態で、マイクロホン１２から入力した音声信号を、アナログ／デジタル変換器１４でデジタル音声信号に変換し、このデジタル音声信号をデータ処理回路８を経由して音声データ符号化・復号化回路３０に供給し、送信時と同様のＶＳＥＬＰ方式による符号化処理を行って、この符号化された音声データをＲＡＭ２１の呼び出し音用の記憶エリアに記憶させる。
【００３１】
また、このようにマイクロホン１２に入力された音声の代わりに、フロントエンド回路５，中間周波回路６で受信処理してデータ処理回路８に得られたＶＳＥＬＰ方式により符号化された音声データを、呼び出し音のデータとしてＲＡＭ２１に記憶させても良い。
【００３２】
さらに、マイクロホン１２とは別に設けた音声入力端子（図示せず）から入力した音声信号を、呼び出し音のデータとして、ＶＳＥＬＰ方式により符号化してＲＡＭ２１に記憶させるようにしても良い。この場合の入力端子としては、アナログ音声信号が入力される端子，デジタルデータ化された音声データが入力される端子のいずれでも良い。
【００３３】
次に、本例の無線電話機で呼び出し音を出力させる場合の制御部２０の制御による処理を、図３のフローチャートを参照して説明する。
【００３４】
まず、制御部２０に供給される制御データで自局への着呼を検出したか否か判断する（ステップ１０１）。そして、自局への着呼を検出した場合には、ＲＡＭ２１の呼び出し音記憶エリアに呼び出し音のデータの登録（記憶）があるか否か判断し（ステップ１０２）、記憶されてない場合には、周波数信号などを使用した通常の呼び出し音の出力処理を行い（ステップ１０３）、何らかのキー操作などで着呼への応答を行ったり、或いは着呼による呼び出しがなくなって、呼び出し音を停止させる必要があるか否か判断する（ステップ１０４）。そして、呼び出し音を停止させる必要がない場合には、ステップ１０３での呼び出し音の出力処理を継続して行い、ステップ１０４で呼び出し音を停止させる必要があると判断した場合には、ステップ１０５に移って呼び出し音を停止させる処理を行い、ステップ１０１の判断に戻って、次に着呼があるまで待機する。
【００３５】
そして、ステップ１０２で呼び出し音のデータがＲＡＭ２１に登録されていると判断したときには、この登録された呼び出し音のデータをＲＡＭ２１から読出す（ステップ１１１）。そして、この読出したデータを音声データ符号化・復号化回路３０に供給し、ＶＳＥＬＰ方式による復号化処理を行い（ステップ１１２）、復号化された音声データをアナログ音声信号に変換してスピーカ１１から出力させる処理を行う（ステップ１１３）。そして、何らかのキー操作などで着呼への応答を行ったり、或いは着呼による呼び出しがなくなって、呼び出し音を停止させる必要があるか否か判断する（ステップ１１４）。そして、呼び出し音を停止させる必要がない場合には、ステップ１１１からステップ１１３までの呼び出し音の出力処理を継続して行い、ステップ１１４で呼び出し音を停止させる必要があると判断した場合には、ステップ１０５に移って呼び出し音を停止させる処理を行い、ステップ１０１の判断に戻って、次に着呼があるまで待機する。
【００３６】
このようにして呼び出し音を出力させる処理が行われることで、この電話機の使用者が登録した任意の音色，メロディー，音声などを呼び出し音として使用できるようになる。この場合、受信される音声データと同じ形式で圧縮された音声データとして記憶させるようにしたので、送受信のための処理回路である音声データ符号化・復号化回路３０を使用して、圧縮音声データを呼び出し音とすることができ、任意に登録させた呼び出し音を出力させるための専用の処理回路が必要なく、回路構成を簡単にすることができる。また、ＲＡＭ２１への呼び出し音のデータの記憶状態についても、圧縮して符号化された音声データとして記憶させるので、記憶容量として非常にわずかな容量で良く、通話音声記憶用として用意されたＲＡＭ２１のわずかな容量を使用するだけで対処でき、この点から電話機の構成が複雑になることはない。例えば、数分間の音声データを記憶できる容量を有するＲＡＭ２１の内の、数秒間の音声データを記憶させる容量だけを呼び出し音用のエリアとするだけで良い。
【００３７】
また、呼び出し音のデータを記憶させる場合にも、送信時に符号化処理する回路３０を使用して圧縮された音声データとすることで、呼び出し音のデータを符号化するための専用の回路を必要とせずに、任意の呼び出し音のデータを登録させることができる。
【００３８】
なお、上述実施例ではＲＡＭに登録させる呼び出し音のデータは、１種類であるものとして説明したが、複数種類の呼び出し音のデータをＲＡＭに記憶させるようにして、着呼状態などに応じて、記憶された呼び出し音の中の所定の呼び出し音を出力させるように制御しても良い。
【００３９】
また、上述実施例では呼び出し音のデータを記憶させる記憶手段として、通話音声を記憶するＲＡＭの一部のエリアを使用したが、無線電話機が備える他の記憶手段を使用しても良い。但し、無線電話機はバッテリで駆動される機器であり、バッテリの残量がなくなった場合に、記憶内容が消去されてしまうようなメモリを使用するのは好ましくない。従って、不揮発性のメモリ或いは専用のバックアップ用の電池を備えるメモリを使用するのが好ましい。
【００４０】
また、上述実施例では音声データを圧縮して符号化する処理して、ＶＳＥＬＰ方式を適用したが、無線電話機を使用した無線電話システムで伝送に使用される音声データの符号化方式が他の方式である場合には、その電話機に適用される符号化により圧縮された音声データをメモリに記憶させれば良い。
【００４１】
また、上述実施例ではユーザーが任意に登録した音声データを、書込みが自在なメモリであるＲＡＭに記憶させるようにしたが、この電話機の製造時に、読出し専用のメモリであるＲＯＭに、予め１種類又は複数種類の呼び出し音のデータ（符号化されたデータ）を登録させておき、このＲＯＭに記憶された呼び出し音のデータを使用して呼び出し音を生成させるようにしても良い。
【図面の簡単な説明】
【００４２】
【図１】本発明の一実施例が適用される無線電話機を示す構成図である。
【図２】一実施例の音声データ復号化部を示す構成図である。
【図３】一実施例の呼び出し音出力処理を示すフローチャートである。
【図４】従来の呼び出し音を出力させる構成を示す構成図である。
【符号の説明】
【００４３】
８  データ処理部、９  デジタル／アナログ変換部、１０  アンプ、１１  スピーカ、２０  制御部、２１  ＲＡＭ、３０  音声データ符号化・復号化部
【図１】
2005102283.tif 000003
【図２】
2005102283.tif 000004
【図３】
2005102283.tif 000005
【図４】
2005102283.tif 000006